(57)【要約】  【課題】  自転車の管理用を容易にし、放置自転車の総数の低減を見込むことが可能なＩＣタグ、入出庫管理装置及び自転車保管所を提供する。  【解決手段】  管理者名称及び連絡先を含む記録情報を記録したＩＣタグ１０を自転車２０に貼付し、ＩＣタグ１０に記録されている記録情報に基づいて自転車２０を管理する入出庫管理装置４０を自転車保管所３０に設置する。【選択図】      図１
2005345545.tif 000002
【特許請求の範囲】
【請求項１】
自転車に貼付する貼付部と、自転車の管理者名称及び該管理者名称にて識別される管理者の連絡先を含む記録情報を記録する記録部とを備えることを特徴とするＩＣタグ。
【請求項２】
保管所で保管する自転車の入出庫を管理する入出庫管理装置において、請求項１に記載のＩＣタグから記録情報を読み取る手段と、前記ＩＣタグから読み取った記録情報を、入庫又は出庫する自転車を示す自転車情報として、読み取った時刻に対応付けて記録する手段と、前記ＩＣタグから読み取った記録情報を、記録している自転車情報と照合する手段とを備えることを特徴とする入出庫管理装置。
【請求項３】
請求項２に記載の入出庫管理装置を設置したことを特徴とする自転車保管所。
【発明の詳細な説明】
【技術分野】
【０００１】
本発明は、自転車に貼付されるＩＣタグ、該ＩＣタグを貼付した自転車の入出庫を管理する入出庫管理装置、該入出庫管理装置を設置した自転車保管所に関し、特に放置自転車の管理に用いられるＩＣタグ、入出庫管理装置及び自転車保管所に関する。
【背景技術】
【０００２】
駅周辺に放置される自転車は、自治体が毎年多額の費用をつぎ込んで対策を講じているにも関わらず、実体としては閉塞感が漂っている。放置自転車の中には、盗難されて乗り捨てられたものも多い。
【非特許文献１】楠町公報（放置自転車）、［ｏｎｌｉｎｅ］、［平成１６年５月３１日検索］、インターネット＜http://www.town.kusu.mie.jp/kusu379/ks7h.html＞
【発明の開示】
【発明が解決しようとする課題】
【０００３】
しかしながら放置された自転車から、その管理者を特定することは困難であるため、管理者に対し罰則処置を行うことが難しいという問題があり、このことは放置自転車の増加の要因ともなっている。また放置自転車が盗難されて乗り捨てられた自転車である場合、本来の持ち主である管理者を特定することができないという問題がある。
【０００４】
本発明は斯かる事情を鑑みてなされたものであり、管理者名称及び連絡先を含む記録情報を記録したＩＣタグを自転車に貼付することにより、自転車が放置された場合でも、管理者を容易に特定することが可能なＩＣタグ、該ＩＣタグを貼付した自転車を保管する保管所に設置する入出庫管理装置、及び該入出庫管理装置を設置した自転車保管所の提供を目的とする。
【課題を解決するための手段】
【０００５】
第１発明に係るＩＣタグは、自転車に貼付する貼付部と、自転車の管理者名称及び該管理者名称にて識別される管理者の連絡先を含む記録情報を記録する記録部とを備えることを特徴とする。
【０００６】
本発明では、自転車に貼付することにより、放置された場合でも管理者及び連絡先を容易に特定することが可能である。
【０００７】
第２発明に係る入出庫管理装置は、保管所で保管する自転車の入出庫を管理する入出庫管理装置において、第１発明に記載のＩＣタグから記録情報を読み取る手段と、前記ＩＣタグから読み取った記録情報を、入庫又は出庫する自転車を示す自転車情報として、読み取った時刻に対応付けて記録する手段と、前記ＩＣタグから読み取った記録情報を、記録している自転車情報と照合する手段とを備えることを特徴とする。
【０００８】
本発明では、駐輪場等の保管所に設置し、ＩＣタグを貼付された自転車の入出庫の管理に用いることにより、自転車の駐輪時間を管理することが可能となるので、駐輪料金の算出及び長期駐輪自転車の特定を行うことが可能である。またレンタル用自転車の保管所に設置して、ＩＣタグを貼付されたレンタル用自転車の管理に用いることが可能である等、優れた効果を奏する。
【０００９】
第３発明に係る自転車保管所は、第２発明に記載の入出庫管理装置を設置したことを特徴とする。
【００１０】
本発明では、駐輪場、レンタル用自転車の保管場所として用い、ＩＣタグを貼付された自転車の入出庫の管理に用いることにより、自転車の駐輪時間、レンタル用自転車の入出庫状況等を管理することが可能となる。
【発明の効果】
【００１１】
本発明のＩＣタグは、管理者名称及び連絡先を含む記録情報を記録し、自転車に貼付することにより、放置された場合でも管理者及び連絡先を容易に特定することができるので、例えば盗難されて乗り捨てられて放置自転車に対しても、本来の持ち主を特定し、連絡を取って返却することが可能である等、優れた効果を奏する。また管理者が故意に放置した場合には、放置した管理者を特定し、罰則を科することができるので、放置自転車の増加を抑制することが可能である等、優れた効果を奏する。
【００１２】
本発明の出庫管理装置及び自転車保管所は、例えば駐輪場に適用し、ＩＣタグを貼付された自転車を入庫する場合に、入庫する自転車に貼付されたＩＣタグから記録情報を読み取って、入庫する自転車を示す自転車情報として、読み取った時刻に対応付けて記録しておき、自転車を出庫する際に、再度ＩＣタグから記録情報を読み取り、記録している自転車情報と照合する。この構成により、自転車の駐輪時間を管理することが可能となるので、駐輪時間を算出して駐輪料金を算出することが可能であり、また長期駐輪自転車を特定することができるので放置自転車の早期発見を行うことが可能である等、優れた効果を奏する。
【発明を実施するための最良の形態】
【００１３】
以下、本発明をその実施の形態を示す図面に基づいて詳述する。
【００１４】
図１は本発明のＩＣタグ、入出庫管理装置及び自転車保管所を用いたシステムを示す概念図である。図１中１０は、本発明のＩＣタグであり、ＩＣタグ１０は、自転車（軽車両全般、原動機付き自転車等の車両をも含む）２０のフレーム等の任意の箇所に貼付されている。図１中３０は、自転車２０を駐輪することが可能な駐輪場等の自転車保管所であり、自転車保管所３０には、駐輪される自転車２０の入出庫を管理する入出庫管理装置４０が配設されている。
【００１５】
図２は本発明のＩＣタグ１０を示す外観図である。ＩＣタグ１０は、長方形状に加工されたシート状をなしており、図２（ａ）がＩＣタグ１０の表側を示し、図２（ｂ）がＩＣタグ１０の裏側を示している。ＩＣタグ１０の表側の面には、自転車２０に関する記録情報を記録するＩＣチップ等の記録部１１、及び記録部１１に接続するコイルパターン１２が形成されている。そしてＩＣタグ１０に形成されたコイルパターン１２と図示しない容量素子とにより共振回路を形成して、１３５ｋＨＺ、１３．５６ＭＨｚ、２．４５ＧＨｚ等の所定の周波数帯の電磁波を搬送波とし、外部のリーダライタと非接触で記録部１１に記録されている記録情報の送受信を行うことができる。記録部１１に記録されている記録情報とは、当該ＩＣタグ１０を特定するＩＣタグＩＤ、自転車２０を特定する自転車ＩＤ、自転車の管理者の氏名、名称、部署等の管理者名称、管理者の連絡先等の各種情報である。なおＩＣタグ１０は非接触状態で情報を読み取ることができるので、ＩＣタグ１０の表面をカバー用フィルム等の保護材で覆うようにしてもよく、またその場合、保護材に○○市等の管理している自治体及び各種団体の名称を付するようにしても良い。
【００１６】
ＩＣタグ１０の裏側の面は接着剤が塗布された貼付部１３となっており、貼付部１３により自転車２０のフレームに貼付することが可能である。なおＩＣタグ１０を自転車２０に貼付する方法としては、接着剤以外にも、リベットによる打ち付け、溶接等の様々な方法がある。
【００１７】
ＩＣタグ１０は、リーダライタから、コイルパターン１２が共振する周波数の呼出信号を受信した場合に、呼出信号に応答する応答信号として、記録部１１に記録されている管理者名称、連絡先等の記録情報を発信し、リーダライタでは、応答信号を受信して、応答信号から記録情報を分離することで、記録部１１に記録されている記録情報を読み取ることができる。
【００１８】
ＩＣタグ１０は、自転車２０の購入時又は登録時において、管理者の氏名等の情報を含む所定の様式の申請書を自治体等の各種団体に提出することにより、各種団体にて申請された情報を記録した上で、自転車２０の販売者又は購入者に発行される。また自転車２０の所有者の変更、売却等の行為を行った場合、ＩＣタグ１０に記録されている記録情報の書き換えを行う再申請を行う。そして販売者又は購入者は、発行されたＩＣタグ１０を自転車２０に貼付する。
【００１９】
ＩＣタグ１０が貼付された自転車２０が放置されている場合に、自転車２０に貼付されたＩＣタグ１０から、例えば携帯型のリーダライタを用いて記録情報を読み取ることにより、管理者及び連絡先等の情報を取得することができる。これにより放置された自転車２０の管理者へ通報し、盗難車である場合には、管理者への返却、管理者による放置である場合には、管理者への罰則の適用等の処置を行うことが可能となる。特に連絡先として電子メールアドレスを記録している場合、リーダライタを用いて読み取った記録情報を、リーダライタからサーバ装置へ送信し、サーバ装置から所定の内容を記載した電子メールをＩＣタグ１０に連絡先として記録されていた電子メールアドレスが示す宛先へ送信するという運用形態を実現することが可能となる。
【００２０】
図３は本発明の入出庫管理装置４０の構成を示すブロック図である。入出庫管理装置４０は、装置全体を制御するＣＰＵ等の制御手段４１、ＲＯＭ及びＲＡＭ等の記録手段４２、操作を受け付ける押釦等の入力手段４３、モニタ及びプリンタ等の出力手段４４、ＩＣタグ１０から記録情報を読み取るリーダライタ等の読取手段４５、日時を示す時計手段４６、並びに外部の装置に接続する接続手段４７を備えている。そして記録手段４２に記録されたコンピュータプログラム及びデータ等の情報を読み取り、制御手段４１の制御により実行することで本発明の管理装置４０としての機能が実現される。なお接続手段４７に接続する外部の装置とは、自転車２０の自転車保管所３０への入出庫を抑止する遮断器、駐輪料金を受け付ける料金徴収装置等の装置である。
【００２１】
次に本発明の入出庫管理装置４０の処理を説明する。図４は本発明の入出庫管理装置４０の入庫時処理を示すフローチャートである。自転車２０の管理者は、自転車保管所３０へ自転車を駐輪する場合に、読取手段４４を自転車２０に貼付されているＩＣタグ１０に近付けることにより、ＩＣタグ１０に形成された記録部１１に記録されている記録情報を入出庫管理装置４０に読み取らせる。
【００２２】
入出庫管理装置４０では、制御手段４１の制御により、ＩＣタグ１０に形成された記録部１１に記録されている記録情報を読取手段４４により読み取り（Ｓ１０１）、読み取った記録情報を、入庫する自転車２０を示す入庫自転車情報として、時計手段４６に示されている日時に対応付けて記録手段４２に記録し（Ｓ１０２）、接続手段４７に接続されている遮断器を開放状態にする入庫処理を行う（Ｓ１０３）。管理者は遮断器が開放状態の間に自転車２０を自転車保管所３０へ入庫させ、任意の場所に駐輪する。
【００２３】
図５は本発明の入出庫管理装置４０の出庫時処理を示すフローチャートである。自転車２０の管理者は、自転車保管所３０に駐輪している自転車２０を出庫する場合に、読取手段４５を自転車２０に貼付されているＩＣタグ１０に近付けることにより、ＩＣタグ１０に形成された記録部１１に記録されている記録情報を入出庫管理装置４０に読み取らせる。
【００２４】
入出庫管理装置４０では、制御手段４１の制御により、ＩＣタグ１０に形成された記録部１１に記録されている記録情報を読取手段４４により読み取り（Ｓ２０１）、読み取った記録情報を、記録手段４２に記録している入庫自転車情報と照合し（Ｓ２０２）、合致した入庫自転車情報に対応付けて記録されている日時から、時計手段４６により示される現在の日時までの差異を示す駐輪時間を計算し（Ｓ２０３）、計算した駐輪時間に基づいて駐輪料金を算出し（Ｓ２０４）、算出した駐輪料金を出力手段４４から出力する（Ｓ２０５）。
【００２５】
管理者は、出力された駐輪料金を確認し、料金徴収装置に料金を投入する。入出庫管理装置４０では、制御手段４１の制御により、料金の投入を検知し（Ｓ２０６）、遮断器を開放状態にする出庫処理を行う（Ｓ２０７）。管理者は遮断器が開放状態の間に自転車２０を自転車保管所３０から出庫させる。
【００２６】
なお自転車保管所３０を管理する係員は、必要に応じて、入力手段４３にて所定の操作を行うことにより、記録手段４２に記録されている入庫自転車情報を出力させることが可能であり、入庫されている自転車２０の駐輪時間を出力させ、長期駐輪自転車を検出することが可能である。
【００２７】
前記実施の形態では、入出庫管理装置を、駐輪場に設置する形態を示したが、本発明はこれに限らず、レンタル用自転車の自転車保管所に設置することも可能であり、これによりＩＣタグに記録された記録情報に基づいて自転車保管所からの出庫としての自転車の貸出及び自転車保管所への入庫としての返却を管理することが可能となる。
【００２８】
レンタル用自転車の管理に適用することにより、レンタル自転車の貸出予約の管理、未返却自転車の管理等の様々な管理を効率的に行うことが可能であり、これによりレンタル価格を引き下げ、レンタル自転車の利用を推進することができ、従って放置自転車の総数の低減を見込むことが可能である。また撤去した放置自転車をレンタル自転車として再利用することにより、放置自転車数の低減及びレンタル自転車の貸出費用の低価格化を見込むことが可能である。
【００２９】
また前記実施の形態では、入出庫管理装置を単独で用いる形態を示したが、別途管理用のサーバコンピュータ、監視用のモニタ等の各種装置をＬＡＮ等の通信網を介して接続し、通信網を介して入出庫管理装置にアクセスし、入出庫状況の管理を行う様にしても良い。
【００３０】
さらに前記実施の形態では、自転車の管理者が駐輪料金を支払う形態を示したが、現金ではなく、プリペイドカードによる支払等の様々な精算形式に適用することが可能である。
【図面の簡単な説明】
【００３１】
【図１】本発明のＩＣタグ、入出庫管理装置及び自転車保管所を用いたシステムを示す概念図である。
【図２】本発明のＩＣタグを示す外観図である。
【図３】本発明の入出庫管理装置の構成を示すブロック図である。
【図４】本発明の入出庫管理装置の入庫時処理を示すフローチャートである。
【図５】本発明の入出庫管理装置の出庫時処理を示すフローチャートである。
【符号の説明】
【００３２】
１０  ＩＣタグ
２０  自転車
３０  自転車保管所
４０  入出庫管理装置
【図１】
2005345545.tif 000003
【図２】
2005345545.tif 000004
【図３】
2005345545.tif 000005
【図４】
2005345545.tif 000006
【図５】
2005345545.tif 000007